【手続補正書】
【提出日】平成27年7月8日(2015.7.8)
【手続補正１】
【補正対象書類名】特許請求の範囲
【補正対象項目名】全文
【補正方法】変更
【補正の内容】
【特許請求の範囲】
【請求項１】
式（Ｉ）：
【化１４２】
2014534272.tif 000001
［式中、
Ａ１及びＡ２は、それぞれ独立して、５〜４０個の原子の環系であり、ここで、各環系は、式（Ｉ）に示される二重結合に電子共役（π−π結合）を介して直接連結している、少なくとも１つの不飽和を含み；Ａ２は、単結合又は少なくとも１つのスペーサーユニットにより重合性基に連結しており；
Ｒ１は、水素、置換基Ｌ、ヒドロキシ又は直鎖もしくは分岐鎖の置換もしくは非置換のＣ１−Ｃ１２アルキルであり、ここで、１つ又は複数のＣ原子、ＣＨ−又はＣＨ２−基は、置き換えられていないか、又は連結基により置き換えられており；
そして、ここで
Ｗが水素であり、Ｚが電子求引基であるならば、
Ｒ４、Ｒ５は、水素であり、Ｒ２及びＲ３は、互いに独立して、電子供与性の個々の置換基であるか、又はＲ２及びＲ３は、一緒になって、環Ａ１に縮合している電子供与性の環の残基を形成するか；あるいは
Ｗが水素であり、Ｚが電子求引基であるならば、
Ｒ４、Ｒ５は、互いに独立して、ハロゲン、ヒドロキシ及び／もしくは極性基である置換基Ｌ；又は電子供与性の個々の置換基であるか、又はＲ４、Ｒ５は、一緒になって、環Ａ２に縮合している電子供与性の環の残基を形成し、Ｒ２及びＲ３は、一緒になって、環Ａ１に縮合している電子供与性の環の残基を形成し；
あるいは、Ｗが電子求引基であり、Ｚが水素であるならば、
Ｒ４、Ｒ５は、互いに独立して、水素、置換基Ｌ、電子供与性の個々の置換基であるか、又はＲ４、Ｒ５は、一緒になって、環Ａ２に縮合している電子供与性の環の残基もしくは水素を形成し、Ｒ２及びＲ３は、互いに独立して、電子供与性の個々の置換基であるか、又は一緒になって、環Ａ１に縮合している電子供与性の環の残基を形成する］
で表される末端基の群を含む、化合物。
【請求項２】
式（Ｉａ）：
【化１４３】
2014534272.tif 000002
［式中、
点線は、化合物の残基への末端基の連結を意味し；
Ａ１及びＡ２は、それぞれ独立して、５〜４０個の原子の環系であり、ここで、各環系は、式（Ｉ）に示される二重結合に電子共役（π−π結合）を介して直接連結している、少なくとも１つの不飽和を含み；Ａ２は、単結合又は少なくとも１つのスペーサーユニットにより重合性基に連結しており；
Ｒ１は、水素、置換基Ｌ又は直鎖もしくは分岐鎖の置換もしくは非置換のＣ１−Ｃ１２アルキルであり、ここで、１つ又は複数のＣ原子、ＣＨ−又はＣＨ２−基は、置き換えられていないか、又は連結基により置き換えられており；
そして、ここで
Ｗが水素であり、Ｚが電子求引基であるならば、
Ｒ４、Ｒ５は、水素であり、Ｒ２及びＲ３は、互いに独立して、電子供与性の個々の置換基であり、好ましくは、これらの電子供与性の個々の置換基は、互いにメタ位にあるか；又は
Ｒ２及びＲ３は、一緒になって、環Ａ１に縮合している電子供与性の環の残基を形成するか；あるいは
Ｗが水素であり、Ｚが電子求引基であるならば、
Ｒ４、Ｒ５は、互いに独立して、水素、置換基Ｌ又は電子供与性の個々の置換基であるが、但し、Ｒ４又はＲ５の少なくとも１つは、置換基Ｌ又は電子供与性の個々の置換基であるものとし；又はＲ４、Ｒ５は、一緒になって、環Ａ２に縮合している電子供与性の環の残基を形成し；そして、
Ｒ２及びＲ３は、一緒になって、環Ａ１に縮合している電子供与性の環の残基を形成するか；又は
Ｒ４は、−Ｏ−Ｃ２−Ｃ６アルキル、例えば、−Ｏ−エチル、−Ｏ−プロピル、−Ｏ−ブチル、−Ｏ−ペンチル、−Ｏ−ヘキシルであり、Ｒ５は、水素であり、Ｒ２及びＲ３は、水素又は電子供与性の個々の置換基であり、好ましくは、Ｒ２とＲ３の両方は、電子供与性の個々の置換基であるか；又は
Ｒ４、Ｒ５は、互いに独立して、置換基Ｌ、電子供与性の個々の置換基又は水素であり；Ｒ２及びＲ３は、互いに独立して、−Ｏ−Ｃ２−Ｃ６アルキル、例えば、−Ｏ−エチル、−Ｏ−プロピル、−Ｏ−イソプロピル、−Ｏ−ブチル、−Ｏ−tert−ブチル、−Ｏ−sec−ブチル、−Ｏ−ペンチル、−Ｏ−イソペンチル、−Ｏ−ヘキシルであるか；又は
Ｒ４、Ｒ５は、互いに独立して、−Ｏ−Ｃ２−Ｃ６アルキル、例えば、−Ｏ−エチル、−Ｏ−プロピル、−Ｏ−イソプロピル、−Ｏ−ブチル、−Ｏ−tert−ブチル、−Ｏ−sec−ブチル、−Ｏ−ペンチル、−Ｏ−イソペンチル、−Ｏ−ヘキシル又は水素であり、Ｒ２及びＲ３は、互いに独立して、−Ｏ−Ｃ２−Ｃ６アルキル、例えば、−Ｏ−エチル、−Ｏ−プロピル、−Ｏ−イソプロピル、−Ｏ−ブチル、−Ｏ−tert−ブチル、−Ｏ−sec−ブチル、−Ｏ−ペンチル、−Ｏ−イソペンチル、−Ｏ−ヘキシルであるか；又は
Ｒ４、Ｒ５は、互いに独立して、置換基Ｌ、電子供与性の個々の置換基であり、好ましくは、Ｒ４、Ｒ５は、−Ｏ−Ｃ１−Ｃ６アルキルであり、より好ましくは、−Ｏ−メチル、−Ｏ−エチルであり、Ｒ２及びＲ３は、互いに独立して、−Ｏ−Ｃ１−Ｃ６アルキル、例えば、−Ｏ−メチル、−Ｏ−エチル、−Ｏ−プロピル、−Ｏ−イソプロピル、−Ｏ−ブチル、−Ｏ−tert−ブチル、−Ｏ−sec−ブチル、−Ｏ−ペンチル、−Ｏ−イソペンチル、−Ｏ−ヘキシルであるか；
あるいは、Ｗが電子求引基であり、Ｚが水素であるならば、
Ｒ４、Ｒ５は、互いに独立して、水素、置換基Ｌ、電子供与性の個々の置換基であるか、又はＲ４、Ｒ５は、一緒になって、環Ａ２に縮合している電子供与性の環の残基もしくは水素を形成し、Ｒ２及びＲ３は、互いに独立して、電子供与性の個々の置換基であるか、又は一緒になって、環Ａ１に縮合している電子供与性の環の残基を形成し；
最も好ましくは、
Ｗが水素であり、Ｚが電子求引基であるならば、
Ｒ４、Ｒ５は、水素であり、Ｒ２及びＲ３は、互いに独立して、電子供与性の個々の置換基であり、好ましくは、これらの電子供与性の個々の置換基は、互いにメタ位にあるか；又は
Ｒ２及びＲ３は、一緒になって、環Ａ１に縮合している電子供与性の環の残基を形成するか；あるいは
Ｗが水素であり、Ｚが電子求引基であるならば、
Ｒ４、Ｒ５は、互いに独立して、水素、置換基Ｌ又は電子供与性の個々の置換基であるが、但し、Ｒ４又はＲ５の少なくとも１つは、置換基Ｌ又は電子供与性の個々の置換基であるものとし；又はＲ４、Ｒ５は、一緒になって、環Ａ２に縮合している電子供与性の環の残基を形成し；そして、
Ｒ２及びＲ３は、一緒になって、環Ａ１に縮合している電子供与性の環の残基を形成するか；
あるいは、Ｗが電子求引基であり、Ｚが水素であるならば、
Ｒ４、Ｒ５は、互いに独立して、水素、置換基Ｌ、電子供与性の個々の置換基であるか、又はＲ４、Ｒ５は、一緒になって、環Ａ２に縮合している電子供与性の環の残基もしくは水素を形成し、Ｒ２及びＲ３は、互いに独立して、電子供与性の個々の置換基であるか、又は一緒になって、環Ａ１に縮合している電子供与性の環の残基を形成する］
で表される末端基を含む、化合物。
【請求項３】
重合性基が、「Ｄ」であり、「Ｄ」が、好ましくは、アクリレート、メタクリレート、２−クロロアクリレート、２−フェニルアクリレート、場合によりＮ−低級アルキルで置換されているアクリルアミド、メタクリルアミド、２−クロロアクリルアミド、２−フェニルアクリルアミド、ビニルエーテル及びエステル、アリルエーテル及びエステル、エポキシ、スチレン及びスチレン誘導体、例えば、α−メチルスチレン、ｐ−メチルスチレン、ｐ−tert−ブチルスチレン、ｐ−クロロスチレンなど、シロキサン、ジアミン、イミドモノマー、アミド酸モノマー及びそれらのエステル、アミドイミドモノマー、マレイン酸及びマレイン酸誘導体、例えば、マレイン酸ジ−ｎ−ブチル、マレイン酸ジメチル、マレイン酸ジエチルなど、フマル酸及びフマル酸誘導体、例えば、フマル酸ジ−ｎ−ブチル、フマル酸ジ−（２−エチルヘキシル）など、ウレタン又はそれらの対応するホモ−及びコポリマーから選択される、請求項１又は２に記載の式（Ｉ）又は（Ｉａ）の末端基の群を含む化合物。
【請求項４】
スペーサーユニットが、Ｓ１及び／又はＳ２であり、これらが、それぞれ互いに独立して、単結合、又は環状、直鎖もしくは分岐鎖の置換もしくは非置換のＣ１−Ｃ２４アルキレンを表し、ここで、１つ又は複数の、好ましくは、隣接しないＣ原子、ＣＨ−又はＣＨ２−基が、非置換であるか、又は連結基、及び／もしくは、式（Ｖ）：
−（Ｚ２ａ）ａ４−（Ｚ１−Ｃ１）ａ１−（Ｚ２−Ｃ２）ａ２−（Ｚ１ａ）ａ３−（Ｖ）
［式中、
Ｃ１、Ｃ２は、それぞれ独立して、脂環式又は芳香族、非置換もしくは置換の炭素環式又は複素環式基を表し、好ましくは、架橋基Ｚ１及び／もしくはＺ２ならびに／又はＺ１ａ及び／もしくはＺ２ａを介して互いに連結しており、好ましくは、Ｃ１及びＣ２は、架橋基Ｚ１及びＺ２ならびに／又はＺ１ａ及び／もしくはＺ２ａを介して対向する位置で連結しており、それによって、基Ｓ１及び／又はＳ２は、長い分子軸を有し、そして
Ｚ１、Ｚ２、Ｚ１ａ、Ｚ２ａは、それぞれ独立して、上記に与えられる意味及び好ましい範囲内で架橋基を表し、そして
ａ１、ａ２、ａ３、ａ４は、それぞれ独立して、ａ１＋ａ２＋ａ３＋ａ４≦６であるような０〜３の整数を表し、好ましくは、ａ３及びａ４は０であり、ａ１＋ａ２≦４である］
で表される、非芳香族、芳香族、非置換もしくは置換の炭素環式もしくは複素環式基により置換されている、請求項１〜３のいずれか一項に記載の式（Ｉ）又は（Ｉａ）の末端基の群を含む化合物。
【請求項５】
ホモポリマー又はコポリマーでありうる、オリゴマー、デンドリマー又はポリマーの一部である、請求項１〜４のいずれか一項に記載の化合物。
【請求項６】
請求項１〜４のいずれか一項に記載の少なくとも１つの化合物をモノマー単位としてその重合形態で含む、オリゴマー、デンドリマー、コポリマー又はポリマー。
【請求項７】
例えば、シラン含有化合物、エポキシ含有架橋剤、光増感剤、光ラジカル発生剤及び／又はカチオン光開始剤である添加剤をさらに含む、請求項６に記載のオリゴマー、デンドリマー、コポリマー又はポリマー。
【請求項８】
その他のポリマー、オリゴマー、モノマー、光活性ポリマー、光活性オリゴマー及び／又は光活性モノマーの混合物をさらに含む、請求項６又は７に記載のオリゴマー、デンドリマー、コポリマー又はポリマー。
【請求項９】
支持体に付与し、アライニング光を照射することにより反応させる、請求項６〜８のいずれか一項に記載のオリゴマー、デンドリマー、コポリマー又はポリマー。
【請求項１０】
請求項６〜９のいずれか一項に記載のオリゴマー、デンドリマー、コポリマー又はポリマーを含む、組成物。
【請求項１１】
液晶、好ましくは、重合性液晶又は切替可能な液晶用のアライメント層としての、請求項６〜９のいずれか一項に記載の１つもしくは複数のオリゴマー、デンドリマー、コポリマーもしくはポリマー又は請求項１０に記載の組成物の使用。
【請求項１２】
請求項６〜９のいずれか一項に記載の１つもしくは複数のオリゴマー、デンドリマー、コポリマーもしくはポリマー又は請求項１０に記載の組成物を含む、アライメント層。
【請求項１３】
異なるアライメント方向のパターンを有する、請求項１２に記載のアライメント層。
【請求項１４】
請求項６〜９のいずれか一項に記載の１つもしくは複数のオリゴマー、デンドリマー、コポリマーもしくはポリマー又は請求項１０に記載の組成物を、好ましくは、溶液中で、場合により電極を備えた支持体に付与し、場合によりイミド化の前後に、前記の付与したオリゴマー、デンドリマー又はポリマーにアライニング光を照射することにより反応させ、その後、場合により、前記アライメント層と重合性液晶を含む組成物を接触させる、請求項１２又は１３に記載のアライメント層の調製方法。
【請求項１５】
アライメント方向が、光アライメント法により制御される、請求項１４に記載の方法。
【請求項１６】
請求項１２又は１３に記載の少なくとも１つのアライメント層を含む、光学及び電気光学的な非構造化又は構造化構成素子、好ましくは、液晶ディスプレイセル、多層及びハイブリット層素子。
【請求項１７】
請求項１０に記載される少なくとも１つの組成物；あるいは請求項６〜９のいずれか一項に記載されるポリマー、ホモ−もしくはコポリマー又はオリゴマー、あるいは請求項１２もしくは１３に記載の又は請求項１４に従って調製される少なくとも１つのアライメント層を含む、ディスプレイ導波管、セキュリティもしくは商標保護エレメント、バーコード、光学格子、フィルター、位相差板、補償フィルム、反射偏光フィルム、吸収偏光フィルム、異方性散乱フィルム補償器及び位相差フィルム、３Ｄ位相差板、ねじれ位相差フィルム、コレステリック液晶フィルム、ゲスト−ホスト液晶フィルム、モノマー波形フィルム、スメクティック液晶フィルム、偏光子、圧電気セル、非線形の光学的性質を示す薄膜、装飾光学素子、輝度強化フィルム、波長域選択的補償用のコンポーネント、マルチドメイン補償用のコンポーネント、マルチビュー液晶ディスプレイのコンポーネント、色消し位相差板、偏光状態補正／調整フィルム、光学又は電気光学センサーのコンポーネント、輝度強化フィルムのコンポーネント、光に基づく電気通信デバイス用のコンポーネント、異方性アブソーバーを備えたＧ／Ｈ偏光子、反射円形偏光子、反射線形偏光子、ＭＣ（モノマー波形フィルム）、ねじれネマチック（ＴＮ）液晶ディスプレイ、ハイブリッド配向ネマチック（ＨＡＮ）液晶ディスプレイ、電界効果複屈折（ＥＣＢ）液晶ディスプレイ、超ねじれネマチック（ＳＴＮ）液晶ディスプレイ、光学補償複屈折（ＯＣＢ）液晶ディスプレイ、パイセル液晶ディスプレイ、面内スイッチング（ＩＰＳ）液晶ディスプレイ、フリンジフィールドスイッチング（ＦＦＳ）液晶ディスプレイ；（ＰＳＶＡ）ポリマー安定化垂直アライン；（ＦＰＡ）磁場誘起による光反応性アライメント；ハイブリッドＦＰＡ；垂直アライン（ＶＡ）、好ましくは、（ＭＶＡ＝マルチドメイン垂直アライメント）、（ＰＶＡ）パターン化ＶＡ；ＶＡ−ＩＰＳモード又は液晶ディスプレイ、又は青色位相液晶を使用するディスプレイ（上記のディスプレイタイプは全て、透過型又は反射型又は半透過型モードで適用される）の調製のための多層系、又はデバイスにより表される、請求項１６に記載の光学及び電気光学的な非構造化又は構造化構成素子。